(57)【要約】      （修正有）【課題】ポイントを付与した加盟店サーバからポイントを回収した加盟店サーバに対するポイント決済が正常に行われない場合でも影響を少なくできるシステムを提供する。【解決手段】ポイント管理システムとその加盟店サーバで構成し、システムで共通ポイントを運用し、ポイント管理システムと各加盟店サーバとの決済情報として、決済期間に加盟店サーバが付与したポイント集計量から算出した付与ポイント決済額と決済期間に加盟店サーバが回収したポイント集計量から算出した回収ポイント決済額との差額を加盟店サーバ毎に算出するステップを設け（ステップＳ３０７）、付与ポイント決済額＞回収ポイント決済額となる加盟店サーバからポイント決済が正常に行われなかった場合には（ステップＳ３１０でＮ）、当該加盟店サーバに対してポイントサービスの利用（ポイント付与やポイント回収など）を停止するステップ（ステップＳ３１１）を設ける。【選択図】図３
2010079644.tif 000002
【特許請求の範囲】
【請求項１】
ネットワーク接続されたコンピュータシステムを用いたポイント管理システムであって、ポイント被付与者に対して付与されたポイント量とポイント被付与者のＩＤとをポイント付与時に前記ポイント管理システムに通知するポイント付与部と、ポイント被回収者から回収したポイント識別ＩＤと、ポイントを回収したポイント被回収者のＩＤと、回収するポイント量を前記ポイント管理システムに通知するポイント回収部と、を有する複数の加盟店サーバとネットワーク接続されている、コンピュータシステムを用いたポイント管理システムにおいて、
前記ネットワーク経由で前記ポイント付与部と前記ポイント回収部からポイント被付与者に対して付与されたポイント量とポイント被付与者のＩＤとをポイント付与時に取得するとともに、ポイント被回収者から回収したポイント識別ＩＤと、ポイントを回収したポイント被回収者のＩＤと、回収するポイント量とを取得し、加盟店サーバの区別なくポイントを管理するポイント口座管理部と、
前記加盟店サーバ毎に前記加盟店サーバが付与したポイントの決算期間毎の総量を管理する加盟店毎ポイント集計部と、加盟店サーバ毎に加盟店サーバが回収してポイントの決算期間毎の総量を管理する加盟店毎回収ポイント回収部と、
決済期間の締め日の度に、
前記付与ポイント集計部により集計された付与ポイント集計量から、各加盟店サーバが付与したポイントの決済額を算出し、前記回収ポイント集計部が集計した回収ポイント集計量から各加盟店サーバが回収したポイントの決済額を算出し、付与ポイント決済額と回収ポイント決済額との差額（α）を加盟店サーバ毎に算出し、付与ポイント決済額＜回収ポイント決済額の場合に、前記ポイント事業者サーバから当該加盟店サーバに差額（α）を決済させる要請を行う加盟店毎ポイント決済処理部と
を有するポイント管理システム。
【請求項２】
前記加盟店毎ポイント決済処理部は、付与ポイント決済額＞回収ポイント決済額となる前記加盟店サーバからポイント事業者サーバに正常に決済処理が行われなかった場合に、当該加盟店サーバに対してポイントサービスの利用を停止することを特徴とする請求項１に記載のポイント管理システム。
【請求項３】
ネットワーク接続されたコンピュータシステムを用いたポイント管理システムであって、ポイント被付与者に対して付与されたポイント量とポイント被付与者のＩＤとをポイント付与時に前記ポイント管理システムに通知するポイント付与部と、ポイント被回収者から回収したポイント識別ＩＤと、ポイントを回収したポイント被回収者のＩＤと、回収するポイント量を前記ポイント管理システムに通知するポイント回収部と、を有する複数の加盟店サーバとネットワーク接続されている、コンピュータシステムを用いたポイント管理システムにおける決済方法において、
前記ネットワーク経由で前記ポイント付与部と前記ポイント回収部からポイント被付与者に対して付与されたポイント量とポイント被付与者のＩＤとをポイント付与時に取得するとともに、ポイント被回収者から回収したポイント識別ＩＤと、ポイントを回収したポイント被回収者のＩＤと、回収するポイント量とを取得し、加盟店サーバの区別なくポイントを管理するポイント口座管理部で管理するステップと、
前記加盟店サーバ毎に前記加盟店サーバが付与したポイントの決算期間毎の総量を管理する加盟店毎ポイント集計部で集計するステップと、加盟店サーバ毎に加盟店サーバが回収してポイントの決算期間毎の総量を管理する加盟店毎回収ポイント回収部で回収するステップと、
決済期間の締め日の度に、
前記付与ポイント集計部により集計された付与ポイント集計量から、各加盟店サーバが付与したポイントの決済額を算出し、前記回収ポイント集計部が集計した回収ポイント集計量から各加盟店サーバが回収したポイントの決済額を算出し、付与ポイント決済額と回収ポイント決済額との差額（α）を加盟店サーバ毎に算出し、付与ポイント決済額＜回収ポイント決済額の場合に、前記ポイント事業者サーバから当該加盟店サーバに差額（α）を決済させる要請を行う加盟店毎ポイント決済処理部で決済するステップと
を有する決済方法。
【請求項４】
付与ポイント決済額＞回収ポイント決済額となる加盟店からポイント事業者に正常に決済処理が行われなかった場合に、当該加盟店に対してポイントサービスの利用を停止するステップを備えたことを特徴とする請求項３に記載の決済方法。
【発明の詳細な説明】
【技術分野】
【０００１】
本発明は、ポイント利用会員に対して複数の加盟店間で相互利用が可能なポイントサービスを提供するポイント管理システムに関し、特に複数の加盟店間のポイント決済方法に関するものである。
【背景技術】
【０００２】
一般消費者を顧客にもつ小売店やサービス業などでは、集客や顧客囲い込みを目的として、顧客に対してポイントサービスを提供することが多くなっている。
最近では、１つの店舗や企業の内部だけでしか利用できない閉鎖的なポイント付与サービスのみではなく、複数の店舗や企業の間で相互利用が出来るようなポイント付与サービスを提供するポイント管理システムが普及しつつある。
【０００３】
図１は、複数の店舗や企業の間で相互利用が出来るポイント管理システムの一般的な構成例を示す機能ブロック図である。図１に示すシステムは、ポイントサービス事業者がポイントサービスを提供するためのポイント管理システム（１０１）と、このポイント管理システム（１０１）に加盟している加盟店サーバＡ（１０８ａ）、Ｂ（１０８ｂ）、Ｃ（１０８ｃ）と、加盟店サーバがポイント管理システム（１０１）にアクセスするための通信ネットワーク回線（１０７）と、を有している。
【０００４】
このようなポイント管理システム（１０１）がポイント会員にポイント付与する場合には、例えば加盟店サーバＡ（１０８ａ）のポイント付与部（１０９ａ）から通信ネットワーク回線（１０７）経由で、ポイント識別情報、当該会員に付与するポイント量、及び、ポイント会員番号（ＩＤ）をポイント管理システム（１０１）の加盟店毎ポイント口座管理部（１０５）に通知する。加盟店毎ポイント口座管理部（１０５）では、ポイント付与した加盟店毎に複数種類のポイントがあると見なして、ポイント会員（例えば、会員のポイントカード又は携帯端末など、以下同様。）のポイント量を管理する。例えば、加盟店サーバＡ（１０８ａ）がポイント会員Ｙに付与したポイント（加盟店Ａポイント）は、加盟店サーバＡのポイント口座データベースＤＢ（１０６ａ）において管理され、加盟サーバＢ（１０８ｂ）がポイント会員Ｙに付与したポイント（加盟店サーバＢポイント）は、加盟店サーバＢポイント口座ＤＢ（１０６ｂ）で管理される。
【０００５】
ポイントの決済は、ポイントを付与した加盟店サーバ（ポイント付与加盟店）とポイントの回収を行った加盟店サーバ（ポイント回収加盟店）との間で発生する。これは、例えば、加盟店サーバＡが付与したポイント（ポイントＡ）を加盟店サーバＢが回収した場合、そのポイントの量に応じて、ポイント会員に購入金額の割引や商品券の発行などのサービスを行うため、そのサービスによる損失の補填をポイント付与加盟店である加盟店サーバＡに求める必要があるからである。このため、図１に示すポイント管理システムにおける決済は、ポイント付与加盟店からポイント回収加盟店に対して行う必要がある。
【０００６】
ポイント管理システム（１０１）がポイント会員からポイント回収する場合には、加盟店サーバ（１０８）のポイント回収部（１１０）から通信ネットワーク回線（１０７）経由で、ポイント識別情報、当該会員から回収するポイント量、及び、ポイント会員番号（ＩＤ）をポイント管理システム（１０１）の加盟店サーバ毎ポイント口座管理部（１０５）に通知する。加盟店サーバ毎ポイント口座管理部（１０５）では、ポイント付与加盟店サーバの当該会員のポイント口座から回収したポイント量を減算する。例えば、加盟店サーバＡ（１０８ａ）が付与したポイント（ポイントＡ）を、ポイント会員Ｙから加盟店サーバＢ（１０８ｂ）が回収した場合、加盟店Ａポイント口座ＤＢ（１０６ｂ）のポイント会員Ｙの口座における残高を減算する。
【０００７】
さらに、回収したポイントを金額換算するための決済レートを加盟店サーバ毎ポイント決済レートＤＢ（１０４）から取得し、ポイント付与加盟店サーバからポイント回収加盟店サーバに対するポイント決済額を算出する。例えば、加盟店サーバＡ（１０６ａ）が付与したポイント（ポイントＡ）を加盟店サーバＢが回収した場合、当該ポイントを金額換算するためのポイントＡの決済レートを加盟店（サーバ）毎ポイント決済レートＤＢ（１０４）から取得し、回収したポイントのポイント決済額を算出する。尚、ポイント回収加盟店サーバは、ここで算出したポイント決済額に相当するサービスを、ポイントを回収した会員に提供することになる。
【０００８】
ポイント管理システム（１０１）は、加盟店（サーバ）間ポイント決済処理部（１０２）の加盟店（サーバ）間ポイント決済情報ＤＢ（１０３）において、決済期間毎に加盟店（サーバ）間のポイント決済情報を管理する。
【０００９】
本発明に関連する公知技術文献としては、会員企業間におけるポイントの決済処理を行う下記特許文献1が挙げられる。
【００１０】
【特許文献１】特許公開２００７−２７２５２６号公報
【発明の開示】
【発明が解決しようとする課題】
【００１１】
ところで、ポイントを付与してから回収するまでの期間は、ポイント会員の行動等の事情に依存する。このため、実際にポイントを回収した時点ではポイント付与加盟店サーバに決済能力がなくなっている場合やポイント付与加盟店サーバがポイント管理システムから脱退している場合もあり得る。その結果、ポイント付与加盟店サーバからポイント回収加盟店サーバに対してポイント決済が行われないという不都合が生じうる。
【００１２】
この点に関しては、ポイント付与加盟店サーバに決済能力がなくなったりポイント付与加盟店サーバがポイント管理システムから脱退したりした時点で、当該加盟店サーバが付与したポイントを回収しないことにより回避することができる。
【００１３】
しかしながら、複数の加盟店サーバで相互利用可能なポイントサービスを提供しているにも関わらず、特定の加盟店サーバが付与したポイントを回収しないということになれば、知らないうちに利用者のポイントが失効したりすることになり、ポイントの可用性、共通性を損なうものであり、ポイントサービスやそれを実現するポイント管理システム自体の信頼性を損なわせる要因となる。
【００１４】
本発明の目的は、ポイントを付与した加盟店サーバからのポイント決済が正常に行われない場合も考慮して、複数の加盟店サーバで相互利用可能なポイントサービスを維持した状態で、ポイント決済が正常に行われない影響をできるだけ少なくすることを目的とする。
【課題を解決するための手段】
【００１５】
本発明の一観点によれば、ネットワーク接続されたコンピュータシステムを用いたポイント管理システムであって、ポイント被付与者に対して付与されたポイント量とポイント被付与者のＩＤとをポイント付与時に前記ポイント管理システムに通知するポイント付与部と、ポイント被回収者から回収したポイント識別ＩＤと、ポイントを回収したポイント被回収者のＩＤと、回収するポイント量を前記ポイント管理システムに通知するポイント回収部と、を有する複数の加盟店サーバとネットワーク接続されている、コンピュータシステムを用いたポイント管理システムにおいて、前記ネットワーク経由で前記ポイント付与部と前記ポイント回収部からポイント被付与者に対して付与されたポイント量とポイント被付与者のＩＤとをポイント付与時に取得するとともに、ポイント被回収者から回収したポイント識別ＩＤと、ポイントを回収したポイント被回収者のＩＤと、回収するポイント量とを取得し、加盟店サーバの区別なく管理するポイント口座管理部と、
加盟店サーバ毎に加盟店サーバが付与したポイントの決算期間毎の総量を管理する加盟店毎ポイント集計部と、加盟店サーバ毎に加盟店サーバが回収してポイントの決算期間毎の総量を管理する加盟店毎回収ポイント回収部と、決済期間の締め日の度に、前記付与ポイント集計部により集計された付与ポイント集計量から、各加盟店サーバが付与したポイントの決済額を算出し、前記回収ポイント集計部が集計した回収ポイント集計量から各加盟店サーバが回収したポイントの決済額を算出し、付与ポイント決済額と回収ポイント決済額との差額（α）を加盟店サーバ毎に算出し、付与ポイント決済額＜回収ポイント決済額の場合に、前記ポイント事業者サーバから当該加盟店サーバに差額（α）を決済させる要請を行う加盟店毎ポイント決済処理部と、を有するポイント管理システムが提供される。
前記加盟店毎ポイント決済処理部は、付与ポイント決済額＞回収ポイント決済額となる前記加盟店サーバからポイント事業者サーバに正常に決済処理が行われなかった場合に、当該加盟店サーバに対してポイントサービスの利用（ポイント付与、回収など）を停止することが好ましい。
【００１６】
本発明の他の観点によれば、ネットワーク接続されたコンピュータシステムを用いたポイント管理システムであって、ポイント被付与者に対して付与されたポイント量とポイント被付与者のＩＤとをポイント付与時に前記ポイント管理システムに通知するポイント付与部と、ポイント被回収者から回収したポイント識別ＩＤと、ポイントを回収したポイント被回収者のＩＤと、回収するポイント量を前記ポイント管理システムに通知するポイント回収部と、を有する複数の加盟店サーバとネットワーク接続されている、コンピュータシステムを用いたポイント管理システムにおける決済方法において、前記ネットワーク経由で前記ポイント付与部と前記ポイント回収部からポイント被付与者に対して付与されたポイント量とポイント被付与者のＩＤとをポイント付与時に取得するとともに、ポイント被回収者から回収したポイント識別ＩＤと、ポイントを回収したポイント被回収者のＩＤと、回収するポイント量とを取得し、加盟店サーバの区別なく管理するポイント口座管理部で管理するステップと、加盟店サーバ毎に加盟店サーバが付与したポイントの決算期間毎の総量を管理する加盟店毎ポイント集計部で集計するステップと、加盟店サーバ毎に加盟店サーバが回収してポイントの決算期間毎の総量を管理する加盟店毎回収ポイント回収部で回収するステップと、決済期間の締め日の度に、前記付与ポイント集計部により集計された付与ポイント集計量から、各加盟店サーバが付与したポイントの決済額を算出し、前記回収ポイント集計部が集計した回収ポイント集計量から各加盟店サーバが回収したポイントの決済額を算出し、付与ポイント決済額と回収ポイント決済額との差額（α）を加盟店サーバ毎に算出し、付与ポイント決済額＜回収ポイント決済額の場合に、前記ポイント事業者サーバから当該加盟店サーバに差額（α）を決済させる要請を行う加盟店毎ポイント決済処理部で決済するステップと、を有する決済方法が提供される。
【００１７】
付与ポイント決済額＞回収ポイント決済額となる加盟店からポイント事業者に正常に決済処理が行われなかった場合に、当該加盟店に対してポイントサービスの利用（ポイント付与、回収など）を停止するステップを備えることが好ましい。
【００１８】
本発明は、上記の方法をコンピュータに実行させるためのプログラムであっても良く、該プログラムを記録するコンピュータ読みとり可能な記録媒体であっても良い。
【発明の効果】
【００１９】
以上のように本発明のポイント管理システムによれば、以下に示す効果がある。
ポイントを付与した加盟店からのポイント決済が正常に行われない場合でも、複数の加盟店で利用可能な共通ポイントのサービスを維持した状態で、ポイント決済が正常に行われない影響をできるだけ少なくすることができる。これにより、ポイントの信頼性も高まり、使用者も安心してポイント付きの買い物が可能となり、全体としてポイント管理システムの信頼性も向上する。
【００２０】
また、一定の決算期間における、加盟店ごとのポイント付与とポイント回収の過不足金額を、ポイントサービス事業者サーバが填補したり徴収したりすることによって調整するので、ポイント付与・回収における加盟店間の公平が図られる。
【発明を実施するための最良の形態】
【００２１】
図２は、本発明の一実施例を示すポイント管理システムにおけるポイント決済方法の構成図である。図２のポイント管理システムは、各処理部２０２、２０５、２０６（プログラムにより実行される）と、データベースなどの各記憶部（記憶領域）２０３、２０４、２０６、２０７、とを有しており、記憶部（メモリ）と制御部（ＣＰＵ）とを備えたコンピュータシステムにより実現するものである。図２に示すシステムは、図１に示すシステムの基本的な骨格を維持している。すなわち、本実施の形態では、ポイント付与は加盟店毎に行われ、ポイントの使用については従来と同様でも良く、加盟店で共通に使用できるようになっている。但し、加盟店により、ポイントに重み付けをするようにようにしても良いし、変動するようにしても良い。
【００２２】
図２に示すように、本実施の形態によるポイントサービスシステムは、ポイントサービス事業者サーバがポイントサービスを提供するためのポイント管理システム（２０１）と、ポイント管理システム（２０１）に加盟している加盟店サーバＡ（２１１ａ）、サーバＢ（２１１ｂ）、サーバＣ（２１１ｃ）と、加盟店サーバがポイント管理システムにアクセスするための通信ネットワーク回線（２１０）と、を有している。
【００２３】
加盟店サーバ（２１１）がポイント会員（の携帯端末やポイントカードなど）にポイントを付与する場合には、加盟店サーバ（２１１）のポイント付与部（２１２）から通信ネットワーク回線（２１０）経由で、当該会員端末等に付与するポイント量、及び、ポイント会員番号をポイント管理システム（２０１）のポイント口座管理部（２０５）に通知する。ポイント口座管理部（２０５）では、ポイント付与加盟店サーバでポイントを区別せずに共通のポイントとみなしてポイント会員端末等のポイント口座に付与したポイント量を加算する。例えば、加盟店Ａサーバ（２１１ａ）がポイント会員端末等Ｙに付与したポイントと、加盟店サーバＢ（２１１ｂ）がポイント会員端末等Ｙに付与したポイントと、を区別せずに、ポイント口座ＤＢ（２０５）で管理している。
【００２４】
また、ある期間毎、例えば決済期間毎に加盟店サーバ（２１１）がポイント会員端末等に付与したポイントの総量を、加盟店（サーバ）毎ポイント集計部（２０６）の加盟店（サーバ）毎付与ポイント集計ＤＢ（２０８）で管理する。加盟店サーバ毎からポイントサービス事業者サーバに対する決済額は、この加盟店（サーバ）毎付与ポイント集計量と、ポイント決済サーレートＤＢの決済レートと、から算出する。
【００２５】
加盟店サーバ（２１１）がポイント会員からポイント回収する場合には、加盟店サーバ（２１１）のポイント回収部（２１３）から通信ネットワーク回線（２１０）経由で、当該会員端末等から回収するポイント量、及び、ポイント会員番号をポイント管理システム（２０１）のポイント口座管理部（２０５）に通知する。ポイント口座管理部（２０５）では、ポイント付与加盟店サーバでポイントを区別せず共通のポイントと見なしてポイント会員のポイント口座から回収したポイント量を減算する。さらに、回収したポイントを金額換算するための決済レートをポイント決済レートＤＢ（２０４）から取得し、ポイント決済額を算出する。ポイント決済レートは、全加盟店サーバで共通である。ポイント回収加盟店は、ここで算出したポイント決済額に相当するサービスをポイント会員端末等に提供することになる。
【００２６】
決済期間毎に加盟店サーバ（２１１）がポイント会員端末から回収したポイントの総量を、新たに設けた加盟店毎ポイント集計部（２０６）の加盟店（サーバ）毎回収ポイント集計ＤＢ（２０９）で管理する。ポイントサービス事業者サーバから各加盟店サーバに対する決済額は、この加盟店（サーバ）毎回収ポイント集計量と、ポイント決済レートＤＢ（２０４）と、の決済レートから算出する。
【００２７】
尚、回収したポイント量を集計する際に、当該ポイントを付与した加盟店サーバを区別しない理由は、ポイント付与加盟店サーバとポイント回収加盟店サーバとの間のポイント決済をポイントサービス事業者が仲介しているため、ポイント付与加盟店サーバを区別してポイント集計し、ポイント付与加盟店毎サーバの決済情報を算出する必要が無いためである。すなわち、ポイント付与加盟店サーバでなく、ポイントサービス事業者がポイントの原資を管理する。
【００２８】
図３は、図２に示すポイント管理システムにおけるポイント決済処理の流れの概要を示すフローチャート図である。ポイント管理システムでは、当日が、決済期間毎にポイント決済処理（ステップ３０１）を行うため締め日であるか否かを判定する（ステップ３０２）。当日が締め日である場合には（Ｙ）、決済期間に付与したポイント量（付与ポイント集計量）を加盟店サーバ毎に集計し（ステップ３０３）、その付与ポイント集計量から加盟店からサービス事業者サーバへの決済額（付与ポイント決済額）を加盟店サーバ毎に算出する（ステップ３０４）。
【００２９】
次に、決済期間に回収したポイント量（回収ポイント集計量）を加盟店サーバ毎に集計し（ステップ３０５）、その回収ポイント集計量から、サービス事業者サーバから加盟店サーバへの決済額（付与ポイント決済額）を加盟店サーバ毎に算出する（ステップ３０６）。
【００３０】
次に、加盟店サーバ毎に、付与ポイント決済額から回収ポイント決済額を減算した値（α）を求める（ステップ３０７）。この処理は、サービス事業者サーバと各加盟店サーバとの間で付与ポイント決済額と回収ポイント決済額との差額だけを決済処理するための処理である。
【００３１】
α＜０の加盟店に対しては、ポイントサービス事業者サーバから当該加盟店サーバ毎に（−α）分の決済処理を行う（ステップ３０８）。従って、自らが付与したポイントより回収したポイント（他店が付与したポイントを含む）の方が多い加盟店に対しては、ポイント回収による余分な支出額がα分あったとみなして、その支出超過を補填するために、ポイントサービス事業者サーバからα分の金額を付与することになる。
【００３２】
α＞０の加盟店サーバに対しては、当該加盟店サーバからポイントサービス事業者サーバに対する決済を、当該加盟店サーバに対し請求する（ステップ３０９）。従って、自らが付与したポイントが回収したポイントより多い加盟店に対しては、ポイント回収不足により本来支出すべき額をα分免れたとみなして、その支出不足を精算させるために、ポイントサービス事業者サーバがα分の金額を徴収することになる。
【００３３】
次に、当該加盟店サーバから正常に決済が行われているか否かを判定する（ステップ３１０）。当該加盟店サーバから正常に決済が行われている場合には、次回の決済処理に進む。当該加盟店サーバから正常に決済が行われなかった場合には、当該加盟店サーバに関しては、全体のポイント管理処理から外す必要があるため、当該加盟店サーバに対しポイントサービスの利用（ポイント付与、回収など）を停止する処置を行う（ステップ３１１）。以上のように本実施の形態によるポイント管理システムによれば、ポイントを付与した加盟店サーバからのポイント決済が正常に行われない場合でも、複数の加盟店サーバで利用可能な共通ポイントのサービスを維持した状態で、ポイント決済が正常に行われない影響を少なくするポイント管理システムのポイント決済方法を提供することができる。これにより、ポイントの信頼性も高まり、使用者も安心してポイント付きの買い物が可能となり、全体としてポイント管理システムの信頼性も向上する。また、一定の決算期間における、加盟店ごとのポイント付与とポイント回収の過不足金額を、ポイントサービス事業者サーバが填補したり徴収したりすることによって調整するので、ポイント付与・回収における加盟店間の公平が図られる。尚、少額ポイントは死蔵されることもあり、一般的には、加盟店トータルでの付与ポイント総量より回収ポイント総量が下回ることが多いので、その差額がポイントサービス事業者の利益となる。ただし、死蔵ポイントが多く利益が過大となる場合は、所定額をポイントサービス事業者サーバから各加盟店サーバに還元するような構成としても良い。
【産業上の利用可能性】
【００３４】
本発明は、ポイント管理システムとして利用可能である。
【図面の簡単な説明】
【００３５】
【図１】一般的なポイント管理システムのポイント決済方法の形態例を示すシステム構成図である。
【図２】本発明が一実施の形態による適用されるポイント管理システムのポイント決済方法の一構成例を示すシステム構成図である。
【図３】本実施の形態によるポイント管理システムのポイント決済処理の流れを示すフローチャート図である。
【符号の説明】
【００３６】
２０１…ポイント管理システム、２０２…加盟店（サーバ）ポイント決済処理部、２０３…加盟店（サーバ）毎ポイント決済情報ＤＢ、２０４…ポイント決済レート、２０５…ポイント口座管理部、２０６…加盟店（サーバ）毎ポイント集計部、２０７…ポイント口座ＤＢ、２０８…加盟店毎付与ポイント集計ＤＢ、２０９…加盟店毎回収ポイント集計ＤＢ。
【図１】
2010079644.tif 000003
【図２】
2010079644.tif 000004
【図３】
2010079644.tif 000005